(57)【要約】      （修正有）【課題】輸送コスト削減及び定植労力の生産性向上を実現させる、花苗や果菜苗等の葉茎を有する苗を２本植えた根鉢付きダブル苗を提供する。【解決手段】根鉢付きダブル苗は、根域を小型化した、培養土の塊である根鉢３と、根鉢に植えた２本の苗２と、を備え、根鉢に植えた２本の苗のそれぞれの茎を傾斜角度５°〜２５°のうちのいずれかの角度で傾斜させて、２本の苗の上端側の間隔を下端側の間隔より離隔させた状態で生育されている。【選択図】図１
0003231863.tif 000002
【実用新案登録請求の範囲】
【請求項１】
根域を小型化した、培養土の塊である根鉢と、
前記根鉢に植えた２本の苗と、を備え、
前記根鉢に植えた２本の苗のそれぞれの茎を傾斜角度５°〜２５°のうちのいずれかの角度で傾斜させて、前記２本の苗の上端側の間隔を下端側の間隔より離隔させた状態で生育されていることを特徴とする根鉢付きダブル苗。
【請求項２】
前記根鉢が片手で摘まめる大きさであることを特徴とする請求項１に記載の根鉢付きダブル苗。
【請求項３】
前記根鉢の水平断面形状が略四角形状であることを特徴とする請求項１又は２に記載の根鉢付きダブル苗。
【請求項４】
前記根鉢の底部近傍に、前記底部の一辺よりも長く、前記底壁の対角線の長さよりやや短い木製棒体を有することを特徴とする請求項１〜３のいずれかに記載の根鉢付きダブル苗。
【考案の詳細な説明】
【技術分野】
【０００１】
本考案は、ポットがない培養土の塊の根鉢に、花苗や果菜苗等の葉茎を有する苗を２本植えた根鉢付きダブル苗に関する。
【背景技術】
【０００２】
特許文献１には、根鉢形成用セルトレイのポット内で育苗され、複数本の根とポット内の充填土壌によって形成される根鉢を有しており、該根鉢の中心部には、前記充填土壌に埋設された芯材が位置しており、該芯材は、多数の孔を有し、該多数の孔に前記複数本の根を挿通した状態で該芯材の周囲及び底部の充填土壌と共に前記複数本の根によって保持されている根鉢付き苗が開示されている。
【先行技術文献】
【特許文献】
【０００３】
【特許文献１】特開２００５−２７８４１０号公報
【考案の概要】
【考案が解決しようとする課題】
【０００４】
特許文献１には、根鉢に１本の苗が植えられた技術であるが、輸送費高騰や定植労力の生産性向上も限界近くになっておりトータルコストが増加するという問題があった。
【０００５】
本考案はこうした問題に鑑み創案されたもので、輸送コスト削減及び定植労力の生産性向上を実現させる、花苗や果菜苗等の葉茎を有する苗を２本植えた根鉢付きダブル苗を提供することを課題とする。
【課題を解決するための手段】
【０００６】
請求項１に記載の根鉢付きダブル苗は、根域を小型化した、培養土の塊である根鉢と、前記根鉢に植えた２本の苗と、を備え、前記根鉢に植えた２本の苗のそれぞれの茎を傾斜角度５°〜２５°のうちのいずれかの角度で傾斜させて、前記２本の苗の上端側の間隔を下端側の間隔より離隔させた状態で生育されていることを特徴とする。
【０００７】
請求項２に記載の根鉢付きダブル苗は、請求項１において、前記根鉢が片手で摘まめる大きさであることを特徴とする。
【０００８】
請求項３に記載の根鉢付きダブル苗は、請求項１又は２において、前記根鉢の水平断面形状が略四角形状であることを特徴とする。
【０００９】
請求項４に記載の根鉢付きダブル苗は、請求項１〜３のいずれかにおいて、前記根鉢の底部近傍に、前記底部の一辺よりも長く、前記底壁の対角線の長さよりやや短い木製棒体を有することを特徴とする。
【考案の効果】
【００１０】
請求項１に記載の根鉢付きダブル苗は、ポットがない１つの小型の根鉢に２本の苗を植えた状態で農家の田畑等まで輸送し、前記田畑等の定植するところまでもっていって、そのまま定植するので、輸送コストが大幅低減し、定植作業の効率が大幅に向上するという際立つ有利な効果を奏する。
【００１１】
請求項２に記載の根鉢付きダブル苗は、コンパクトに生育させているので、さらに輸送コストを大幅低減し、定植作業の効率を大幅向上させるという際立つ有利な効果を奏する。
【００１２】
請求項３に記載の根鉢付きダブル苗は、根鉢の水平断面形状が略四角形状であるので、円形状のものより水平断面を広くできることから、２本の苗を植えても２つの苗の根がからみにくく、それぞれの苗が根巻きになりにくく新根が定植後に伸びやすいという効果を奏する。
【００１３】
請求項４に記載の根鉢付きダブル苗は、新芽が生育して伸びる根がポットの底壁の水抜き孔から外に出にくいため根が切断されていない根鉢付きダブル苗を育苗できるという効果を奏する。
【図面の簡単な説明】
【００１４】
【図１】本考案の根鉢付きダブル苗の斜視図である。
【図２】テーパー付箱型ポットを使用して定植時期まで成長したときのダブル苗の説明図である。
【考案を実施するための形態】
【００１５】
本考案の根鉢付きダブル苗１は、トマト、なす、ピーマン、瓜等の果菜苗や、パンジー、サルビア等の花苗の定植時期に到達している完成苗、言い換えると定植できるまでに育苗された苗２を、１つの根鉢３当り２本植えたものである。
【００１６】
本考案の根鉢付きダブル苗１は、図１に示すように、根域を小型化した、培養土４の塊である根鉢３と、前記根鉢３に植えた２本の苗２と、を備え、前記根鉢３に植えた２本の苗２のそれぞれの茎７を傾斜角度５°〜２５°のうちのいずれかの角度で傾斜させて、前記２本の苗２の上端側の間隔を下端側の間隔より離隔させた状態で生育されている。
【００１７】
前記根鉢付きダブル苗１は、定植に適するに到達した苗２に育苗するためにテーパー付箱型ポット９を使用して育苗する。その育苗方法は、図２に示すように、テーパー付箱型ポット育苗中のダブル苗１０を示した、底壁の中央部に水抜き穴を有するテーパー付箱型ポット９の底壁の上に，培養土４が投入されるに先だって，前記水抜き穴の少なくとも一部の上に配置される木製棒体５を有して、前記木製棒体５の長さを、前記底壁の一辺よりも長く、而も、該底壁の対角線の長さよりもやや短く設定したテーパー付箱型ポット９を利用して育苗する。
【００１８】
種をまいて約１か月〜約１か月半経過後に新芽が発芽したときに前記テーパー付箱型ポット９に植え替えをする。そのときに前記新芽の茎７を、斜角度５°〜２５°のうちのいずれかの角度で傾斜させて、かつ前記２本の新芽の上端側の間隔を下端側の間隔より離隔させた状態で１つのテーパー付箱型ポット９に２本植える。例えば、図１において、１本の苗は傾斜角度α、他の１本は傾斜角度βで植える。図１において、前記傾斜角度αは約１５°で、前記傾斜角度βは約２０°で植えている。
【００１９】
また、前記新芽に限らず、接ぎ木した苗２でもよい。前記接ぎ木は、病害虫に弱い品種を病害虫に強い品種に接ぎ木したり、特定の個体を増殖させたりするなどの品種改良をするために行われるが、前記接ぎ木した苗２も前記テーパー付箱型ポット９に植え替えをすることができる。植え替えをするときに前記接ぎ木した苗の茎７を、斜角度５°〜２５°のうちのいずれかの角度で傾斜させて、かつ前記２本の接ぎ木した苗の上端側の間隔を下端側の間隔より離隔させた状態で１つのテーパー付箱型ポット９に２本植える。
【００２０】
また、１つの根鉢３に、２本の新芽の苗を植え替えたり、２本の接ぎ木をした苗を植え替えたり、１本の新芽の苗と１本の接ぎ木をした苗の組み合わせで植え替えてもよい。いずれにしても前記根鉢付きダブル苗１は、１つの根鉢３に２本の苗を育苗させている形態を有する。
【００２１】
このままの状態で育苗を約３週間実施し、田畑、花壇、鉢に定植できるまでに育苗されたら、すなわち定植を行う時期になったらテーパー付箱型ポット９から根鉢３の部分を抜き出す。この抜き出した状態で農家の田畑等の苗を定植するところまで輸送する。
【００２２】
また、テーパー付箱型ポット９から根鉢３の部分を抜き出した後に底部近傍の木製棒体５を除いてもよい。
【００２３】
新芽の時期から定植ができる時期までの約３週間で、前記テーパー付箱型ポット９内で２本の根の根回りはほとんどなく、また、２本の苗２は傾けた状態でそのまま生育するのであまり茎７が曲がることもない。
【００２４】
そして、２本の苗２が１つの根鉢３で育苗された状態で運搬し、そのままの状態を維持したままで田畑、花壇、鉢等に定植する。
【００２５】
ここで、前記根鉢３は、根域を小型化した、培養土４の塊である。その小型化の大きさとしては、例えば、片手で摘まめる大きさである。
【００２６】
また、前記根鉢３は水平断面形状を略四角形状にして水平断面の面積を同じ縦横長さの円形状より広くしている。そして、前記根鉢３の底部近傍に、前記底部の一辺よりも長く、前記底壁の対角線の長さよりやや短い木製棒体５を有するものもある。
【００２７】
前記苗２は、前記根鉢３に植えた２本の苗２のそれぞれの茎７を傾斜角度５°〜２５°のうちのいずれかの角度で傾斜させて、前記２本の苗２の上端側の間隔を下端側の間隔より離隔させた状態で生育されている。
【００２８】
そのため、種から新芽に育苗されて、テーパー付箱型ポット９に植え替えるときに、２本の新芽のそれぞれの茎７を傾斜角度５°〜２５°のうちのいずれかの角度で傾斜させて、前記２本の新芽の上端側の間隔を下端側の間隔より離隔させた状態で植えている。
【００２９】
前記２本の苗２のそれぞれの茎７を傾斜角度５°未満に傾斜させると、略直立状態となり新芽から定植できる苗２に育苗する間に、２本の苗２の葉６同士が干渉し太陽光を十分受けられにくくなり光合成が不足して育苗が抑制され、前記２本の苗２のそれぞれの茎７を傾斜角度２５°超に傾斜させると、平面視で苗２の大きさが前記根鉢３より大きく拡大するので輸送時などの箱詰めするときに根鉢３同士を接触させた状態にすることが困難になり輸送効率が低下し、田畑等に定植後に定植した苗が太陽光に向かって生育するので茎が曲がり見栄えが悪化するという問題が生ずる。
【００３０】
根鉢付きダブル苗１は、根域を小型化した、培養土４の塊である根鉢３と、前記根鉢３に植えた２本の苗２と、を備えており、テーパー付箱型ポット９が不要であり、２本の苗２を１つの根鉢３に植えたまま定植できるので、輸送効率及び定植作業効率が大幅に向上し作物のトータル生育コスト低減に大きく寄与させることができる。
【符号の説明】
【００３１】
１          根鉢付きダブル苗
２          苗
３          根鉢
４          培養土
５          木製棒体
６          葉
７          茎
９          テーパー付箱型ポット
１０        テーパー付箱型ポット育苗中のダブル苗
【図１】
0003231863.tif 000003
【図２】
0003231863.tif 000004